(57)【特許請求の範囲】
【請求項１】
同時にアクセス可能な複数の入力ポートを有し、前記複数の入力ポートに入力される素材データを記憶媒体に記録する制御手段と、
前記複数の入力ポートの各々に入力されて前記制御手段の制御により前記記憶媒体に記録される前記素材データから当該素材データに関する文字情報を抽出する抽出手段と、
前記複数の入力ポートの各々に対して入力される前記素材データを取得し、取得した当該素材データに前記抽出手段により抽出された前記文字情報を重畳する重畳手段と、
前記重畳手段により重畳された前記文字情報を含む前記素材データを外部へ送出するモニタ出力ポートとを有する記録回路と、
同時にアクセス可能な複数の出力ポートを有し、前記記憶媒体に記録された前記素材データを読み出して前記複数の出力ポートから出力する制御手段と、
前記制御手段により前記記憶媒体から読み出された前記素材データに含まれる前記文字情報を抽出する抽出手段と、
前記複数の出力ポートの各々から出力される前記素材データを取得し、取得した当該素材データに前記抽出手段により抽出された前記文字情報を重畳する重畳手段と、
前記重畳手段により重畳された前記文字情報を含む前記素材データを外部へ送出するモニタ出力ポートとを有する再生回路と
を具備するデータ記録再生装置。
【請求項２】
前記抽出手段は、
前記複数の入力ポートの各々に対して入力される素材データおよび前記複数の出力ポートの各々から出力される素材データのうち、前記文字情報を重畳すべき素材データに含まれるタイムコードを抽出し、
前記重畳手段は、
前記抽出手段により取得された前記タイムコードを表示可能な文字情報として前記素材データに重畳する請求項１記載のデータ記録再生装置。
【請求項３】
前記抽出手段は、
当該装置の動作モード、前記記憶媒体に蓄積されている素材データリスト、当該装置の状態のうち、少なくとも１つ以上に関する情報を取得し、
前記重畳手段は、
前記抽出手段により取得された情報を表示可能な文字情報として前記素材データに重畳する請求項１記載のデータ記録再生装置。
【請求項４】
前記複数の入力ポートの各々に入力される素材データと前記重畳手段により前記文字情報が重畳された素材データとのいずれか一方を選択する選択手段を具備し、
前記選択手段により選択された素材データを前記モニタ出力ポートから外部へ送出する請求項１記載のデータ記録再生装置。
【発明の詳細な説明】
【０００１】
【発明の属する技術分野】
本発明は、例えば、放送事業者、特に一般放送事業者の放送局で使用するビデオサーバー・システムに用いて好適なデータ記録再生装置に関する。
【０００２】
【従来の技術】
近年、ＶＴＲテープを用いたシーケンシャル（リニア）記録再生に替えて、ランダムアクセス可能な記録媒体を用いてノンリニア記録再生するビデオサーバ（もしくはＡＶサーバ）と呼ばれるデータ記録再生装置が普及しつつある。一般的に、放送局設備として用いられるビデオサーバは、画質や音質に対する要求から、必要とされるデータ転送レートが高く、しかも長時間のデータ記録を可能にすべく大記憶容量であることが要求される。そこで、時分割に記録再生動作する複数のハードディスク装置から構成されるＲＡＩＤ（Redundant Arrays of Inexpensive Disks）を用いて、複数の音声・映像データからなる素材データを分散的に記録しておき、多チャンネル同時送出を行ったり、同一の素材データを再生時間をずらして多チャンネルで再生することで、所謂、ＶＯＤ（ビデオオンデマンド）やＮＶＯＤ（ニアビデオオンデマンド）を実現可能にしている。なお、この種の技術については、例えば特開平１１−２７６２５号公報に開示されている。
【０００３】
ここで、図３は、上述したデータ記録再生装置の一構成例を示すブロック図である。図において、データ再生記録装置は、同時にアクセスすることが可能な、２つの入力ポート（２ポート入力）ＩＮ１，ＩＮ２、２つの出力ポート（２ポート出力）ＯＵＴ１、ＯＵＴ２を備え、それぞれの入力ポートＩＮ１，ＩＮ２および出力ポートＯＵＴ１、ＯＵＴ２に対応して、２つの記録回路１ａ，１ｂと、２つの再生回路２ａ，２ｂとを備えている。これら記録回路１ａ，１ｂおよび再生回路２ａ，２ｂは、タイミング生成器３からのタイムスロット信号に同期して時分割動作するようになっている。入力ポートＩＮ１から入力された映像信号（音声信号を含む）は、圧縮器４によりＭＰＥＧ等の方式に従って圧縮され、制御器５の制御に従って、バッファメモリ６に順次格納された後、所定の読み出しタイミングでハードディスク・アレイ２０へ記録される。一方、ハードディスク・アレイ２０に記録されている映像データ（音声データを含む）は、制御器７の制御に従って、バッファメモリ８に順次格納され、復号器９で復号された後、バッファメモリ１０を介して、タイミング生成器１１からのタイミング信号に従って出力ポートＯＵＴ１から送出される。なお、他の記録回路１ｂ、再生回路２ｂについても同じ動作を行う。
【０００４】
上記構成において、入力ポートＩＮ１，ＩＮ２における映像データを確認するには、入力ポートＩＮ１，ＩＮ２に直接接続されているスルーアウト端子ＴＨＯＵＴ１，ＴＨＯＵＴ２から出力される音声・映像データを直接モニタリングするようになっている。
【０００５】
【発明が解決しようとする課題】
しかしながら、従来技術では、スルーアウト端子ＴＨＯＵＴ１，２を単にモニタリングしているだけであるので、その映像データのタイムコードや、その入力ポートに入力している映像データが記録中であるのか、記録中でないのか、あるいは当該データ再生記録装置に関する情報（動作モード、動作状態など）に関する情報を得ることができず、非常に不便であるという問題があった。
【０００６】
そこで本発明は、入力される素材データや、出力する素材データ、蓄積された素材データ、装置の動作状態などに関する情報を、特別な装置を用いることなく、外部機器で容易に表示することができるデータ記録再生装置を提供することを目的とする。
【０００７】
【課題を解決するための手段】
上記目的達成のため、請求項１記載の発明によるデータ記録再生装置は、同時にアクセス可能な複数の入力ポートを有し、前記複数の入力ポートに入力される素材データを記憶媒体に記録する制御手段と、前記複数の入力ポートの各々に入力されて前記制御手段の制御により前記記憶媒体に記録される前記素材データから当該素材データに関する文字情報を抽出する抽出手段と、前記複数の入力ポートの各々に対して入力される前記素材データを取得し、取得した当該素材データに前記抽出手段により抽出された前記文字情報を重畳する重畳手段と、前記重畳手段により重畳された前記文字情報を含む前記素材データを外部へ送出するモニタ出力ポートとを有する記録回路と、同時にアクセス可能な複数の出力ポートを有し、前記記憶媒体に記録された前記素材データを読み出して前記複数の出力ポートから出力する制御手段と、前記制御手段により前記記憶媒体から読み出された前記素材データに含まれる前記文字情報を抽出する抽出手段と、前記複数の出力ポートの各々から出力される前記素材データを取得し、取得した当該素材データに前記抽出手段により抽出された前記文字情報を重畳する重畳手段と、前記重畳手段により重畳された前記文字情報を含む前記素材データを外部へ送出するモニタ出力ポートとを有する再生回路とを具備するものである。
【０００８】
また、好ましい態様として、例えば請求項１記載のように、請求項１記載のデータ記録再生装置において、前記抽出手段は、前記複数の入力ポートの各々に対して入力される素材データおよび前記複数の出力ポートの各々から出力される素材データのうち、前記文字情報を重畳すべき素材データに含まれるタイムコードを抽出し、前記重畳手段は、前記抽出手段により取得された前記タイムコードを表示可能な文字情報として前記素材データに重畳するようにしても良い。
【０００９】
また、好ましい態様として、例えば請求項１記載のように、請求項２記載のデータ記録再生装置において、前記抽出手段は、当該装置の動作モード、前記記憶媒体に蓄積されている素材データリスト、当該装置の状態のうち、少なくとも１つ以上に関する情報を取得し、前記重畳手段は、前記抽出手段により取得された情報を表示可能な文字情報として前記素材データに重畳するようにしても良い。
【００１０】
また、好ましい態様として、例えば請求項１記載のように、請求項２記載のデータ記録再生装置において、前記複数の入力ポートの各々に入力される素材データと前記重畳手段により前記文字情報が重畳された素材データとのいずれか一方を選択する選択手段を具備し、前記選択手段により選択された素材データを前記モニタ出力ポートから外部へ送出するようにしても良い。
【００１２】
この発明では、重畳手段により、前記複数の入力ポートの各々に対して入力される素材データおよび前記複数の出力ポートの各々から出力される素材データの双方、または少なくもいずれか一方に表示可能な文字情報を重畳した後、該素材データをモニタ出力ポートから外部へ送出する。文字情報の元になる情報としては、素材データに含まれるタイムコードや、当該装置の動作モード、前記記憶媒体に蓄積されている素材データリスト、当該装置の状態がある。したがって、入力される素材データや、出力される素材データ、蓄積された素材データ、装置の動作状態などに関する情報を、特別な装置を用いることなく、外部機器で容易に表示することが可能となる。
【００１３】
【発明の実施の形態】
以下、本発明の実施の形態を、図面を参照して説明する。
Ａ．実施形態の構成
図１は、本発明の実施形態によるデータ再生記録装置（ビデオサーバ）の構成を示すブロック図である。なお、図３に対応する部分には同一の符号を付けて説明する。図１において、データ再生記録装置は、２つの入力ポートＩＮ１，ＩＮ２および２つの出力ポートＯＵＴ１，ＯＵＴ２に対応して、２つの記録回路２１ａ，２１ｂと、２つの再生回路２２ａ，２２ｂとを備えている。これら記録回路２１ａ，２１および再生回路２２ａ，２２ｂは、タイミング発生器３からのタイムスロット信号に同期して時分割動作するようになっている。
【００１４】
記録回路２１ａ，２１ｂは、各々、圧縮器４、バッファメモリ６、ＶＩＴＣリーダ２３、制御器２４、文字情報混合器２５、切替器２６を備えている。圧縮器４は、入力ポートＩＮ１から入力される映像信号をＭＰＥＧ等の方式に従って圧縮し、バッファメモリ６に供給する。バッファメモリ６は、上記圧縮された映像データを順次保持し、制御器２４による制御に従って、タイミング発生器３で生成された自身のタイムスロットにおいて、保持した映像データとともに、記憶媒体の書き込みコマンドをバスＡへ送出する。ＶＩＴＣ（Vertical Interval Time Code）リーダ２３は、入力ポートＩＮ１から入力される映像信号における映像信号が乗っていない垂直帰線区間に挿入されたタイムコードを抽出し、制御器２４へ供給する。
【００１５】
制御器２４は、所定のインターフェース（例えば、ＲＳ−４２２）を介して外部から記録命令が入力されると、後述する記録再生信号に従って、バッファメモリ６における映像データの書き込みタイミング、読み出しタイミングを制御することで、入力される映像データのハードディスク・アレイ２０への記録を行う。このとき、制御器２４は、バスＣを介して後述する制御器３１から供給されるファイルシステム３０で管理されている記録アドレスを取得し、該記録アドレスに従って、ハードディスク・アレイ２０へ記録するようになっている。また、制御器２４は、ＶＩＴＣリーダ２３によって抽出されたデータや、後述するファイルシステム３０における管理情報（ファイル名、異常警告など）のデータに従って、モニタする映像信号に重畳（スーパーインポーズ）すべき文字情報（文字コード）を判別し、文字情報混合器２５へ供給する。
【００１６】
文字情報混合器２５は、入力ポートＩＮ１から入力される映像信号に、制御器２４から供給される文字情報に従った文字を重畳して切替器２６へ供給する。切替器２６は、後述する制御パネル３２からのユーザ指示に従って、入力ポートＩＮ１から入力される映像信号または文字情報混合器２５から供給される、文字情報が重畳された映像信号のいずれか一方を選択し、モニタ出力ポートＯＵＴ１ａから外部へ送出する。
【００１７】
再生回路２２ａは、各々、バッファメモリ８、復号器９、バッファメモリ１０、ＶＩＴＣリーダ２７、文字情報混合器２８、制御器２９、タイミング発生器１１を備えている。バッファメモリ８は、制御器２９による制御に従って、自身のタイムスロットにおいて、ハードディスク・アレイ２０からバスＢを介して所望する映像データを読み出し、順次保持するとともに、復号器９へ送出する。復号器９は、映像データを復号し、バッファメモリ１０およびＶＩＴＣリーダ２７へ送出する。バッファメモリ８は、上記復号された映像データを保持するとともに、制御器２９の制御に従って、所定の遅延時間後、出力ポートＯＵＴ１から出力する。該バッファメモリ１０は、コマ送りなどのときに応答性を向上させるためのものであり、数フレーム分の映像データを取り込んでおき、メモリ上でコマ送りを実現する。ＶＩＴＣリーダ２７は、復号器９からの映像データの垂直帰線の未使用部分に挿入されたタイムコードを抽出し、制御器２９へ供給する。
【００１８】
制御器２９は、所定のインターフェース（例えば、ＲＳ−４２２）を介して外部から再生命令が入力されると、後述する記録再生信号に従って、バッファメモリ８における映像データの書き込みタイミング、読み出しタイミングを制御することで、ハードディスク・アレイ２０に記録されている映像データの再生を行う。このとき、制御器２９は、バスＣを介して後述する制御器３１から供給されるファイルシステム３０で管理されている再生アドレスを取得し、該再生アドレスに従って、ハードディスク・アレイ２０から映像データを取り出すようになっている。タイミング発生器１１は、バッファメモリ１０における映像データの書き込みタイミング、読み出しタイミングを制御するためのタイミング信号を生成するものである。また、制御器２９は、ＶＩＴＣリーダ２７によって抽出されたデータや、ファイルシステム３０における管理情報のデータに従って、外部へ出力する映像信号に重畳すべき文字情報を判別し、文字情報混合器２８へ供給する。
【００１９】
文字情報混合器２８は、バッファメモリ１０から出力される映像信号に、制御器２９から供給される文字情報に従った文字を重畳してモニタ出力ポートＯＵＴ２ａから出力する。なお、該文字情報混合器２８における文字の重畳は、後述する制御パネル３２などからのユーザ指示によりオン／オフすることが可能となっている。ハードディスク・アレイ２０は、複数のハードディスク装置から構成されるＲＡＩＤからなり、複数の映像データを記録する記録媒体である。
【００２０】
タイミング発生器３は、入力されるＲＥＦ信号に従って、図２（ａ）に示すタイムスロット信号およびＩＤからなる記録再生基準信号を発生し、各記録回路２１ａ，２１ｂ、再生回路２２ａ，２２ｂへ供給する。タイムスロット信号は、時分割動作させるためのスロットを示す信号であり、ＩＤは、各スロットがどの回路のものであるかを示す信号である。記録回路２１ａ，２１ｂおよび再生回路２２ａ，２２ｂは、ＩＤにより自身のスロットを識別し、自身のスロットにおいて、タイムスロット信号に同期して時分割動作するようになっている。したがって、記録回路２１ａ，２１ｂ、再生回路２２ａ，２２ｂは、図２（ｂ）に示すように、周期Ｔを４分割した時間ｔの各スロットで動作するものである。
【００２１】
ファイルシステム３０は、ハードディスク・アレイ２０に記録された映像データ毎に、そのファイル名、記録日時、記録アドレスなどを管理するものである。制御器３１は、ファイルシステム３０からファイル情報を取得したり、制御パネル３２からのユーザ指示に従って、記録回路２１ａ，２１ｂや再生回路２２ａ，２２ｂの動作を制御する。制御パネル３２は、ユーザの操作により制御器３１に対して、記録命令、再生命令や、文字情報混合器２５，２８で映像信号に重畳する情報などを指示するものである。
【００２２】
Ｂ．実施形態の動作
次に、上述した実施形態の動作について説明する。なお、以下では、記録回路２１ａおよび再生回路２２ａのみについて説明するが、記録回路２１ｂおよび再生回路２２ｂについても同様である。
【００２３】
まず、上述したデータ記録再生装置の記録動作について説明する。入力ポートＩＮ１に入力された映像信号は、圧縮器４により圧縮されてバッファメモリ６に保持された後、自身のタイムスロットで、ハードディスク・アレイ２０に順次記録される。これに並行して、ＶＩＴＣリーダ２３によって、上記映像信号からタイムコードが抽出されて制御器２４に供給される。制御器２４では、抽出されたタイムコードを表す文字コードが判別され、該文字コードが文字情報混合器２５に供給される。文字情報混合器２５では、入力された映像信号に文字コードに対応する文字情報が重畳され、切替器２６へ供給される。切替器２６では、制御パネル３２でのユーザ指示に応じて、上記タイムコードが重畳された映像信号、または入力されたそのままの映像信号のいずれか一方が選択され、モニタ出力ポートＯＵＴ１ａから外部へ送出される。
【００２４】
したがって、外部機器では、特別な装置を用いることなく、通常のモニタによって、記録回路２１ａのモニタ出力ポートＯＵＴ１ａから出力される映像信号を表示することで、制御パネル３２でのユーザ指示に応じて、入力される映像信号のタイムコードに加えて、例えば、入力ポートＩＮ１が記録中であるときには、「ＲＥＣ」という文字や、ファイルシステム３０から取得した、ハードディスク・アレイ２０に記録されている映像データのリストであるファイルリストなどを表示することが可能となる。また、当該機器のステータス（エラー、警告など）の情報なども表示することが可能となる。
【００２５】
次に、上述したデータ記録再生装置の再生動作について説明する。ハードディスク・アレイ２０に記録された映像データは、バッファメモリ８に順次保持された後、復号器９により復号し、バッファメモリ１０に数フレーム分取り込んでおき、タイミング生成器１１からのタイミング信号に従って、出力ポートＯＵＴ１から送出する。これに並行して、ＶＩＴＣリーダ２７では、復号器９からの映像データの垂直帰線の未使用部分に挿入されたタイムコードが抽出され、制御器２９へ供給される。
【００２６】
制御器２９では、抽出されたタイムコードを表す文字コードが判別され、該文字コードが文字情報混合器２８に供給される。文字情報混合器２８では、入力された映像信号に文字コードに対応する文字情報が重畳された後、モニタ出力ポートＯＵＴ２ａから外部へ送出される。このとき、制御パネル３２などからのユーザ指示に応じて、文字情報混合器２８における文字の重畳は、オン／オフすることが可能となっている。
【００２７】
したがって、外部機器では、特別な装置を用いることなく、通常のモニタによって、再生回路２２ａのモニタ出力ポートＯＵＴ２ａから出力される映像信号を表示することで、制御パネル３２でのユーザ指示に応じて、再生される映像信号のタイムコードに加えて、例えば、ファイルシステム３０から取得した、ハードディスクアレイ２０に記録されている映像データのリストであるファイルリストや、当該機器のステータスの情報なども表示することが可能となる。
【００２８】
【発明の効果】
請求項１記載の発明によれば、重畳手段により、複数の入力ポートの各々に対して入力される素材データおよび前記複数の出力ポートの各々から出力される素材データの双方、または少なくもいずれか一方に表示可能な文字情報を重畳した後、モニタ出力ポートから外部へ送出するようにしたので、入力される素材データや、出力する素材データ、蓄積された素材データ、装置の動作状態などに関する情報を、特別な装置を用いることなく、外部機器で容易に表示させることができるという利点が得られる。前記表示可能な文字情報を重畳する重畳手段と、前記重畳手段により文字情報が重畳された前記素材データを外部へ送出するモニタ出力ポート
【００２９】
また、請求項２記載の発明によれば、前記情報取得手段により、素材データに重畳する文字情報の元になる情報を取得し、前記重畳手段により、該取得した情報を表示可能な文字情報として前記素材データに重畳するようにしたので、入力される素材データや、出力する素材データ、蓄積された素材データ、装置の動作状態などに関する情報を、特別な装置を用いることなく、外部機器で容易に表示させることができるという利点が得られる。
【００３０】
また、請求項３記載の発明によれば、抽出手段により、前記複数の入力ポートの各々に対して入力される素材データおよび前記複数の出力ポートの各々から出力される素材データのうち、文字情報を重畳すべき素材データに含まれるタイムコードを抽出し、重畳手段により、上記タイムコードを表示可能な文字情報として前記素材データに重畳するようにしたので、入力される素材データや、出力する素材データのタイムコードを、特別な装置を用いることなく、外部機器で容易に表示させることができるという利点が得られる。
【００３１】
また、請求項４記載の発明によれば、情報取得手段により、当該装置の動作モード、前記記憶媒体に蓄積されている素材データリスト、当該装置の状態のうち、少なくとも１つ以上に関する情報を取得し、前記重畳手段により、前記情報取得手段により取得された情報を表示可能な文字情報として前記素材データに重畳するようにしたので、当該装置の動作モードや、蓄積された素材データリスト、装置の動作状態などに関する情報を、特別な装置を用いることなく、外部機器で容易に表示させることができるという利点が得られる。
【００３２】
また、請求項５記載の発明によれば、選択手段により、前記入力ポートに入力される素材データと前記重畳手段により文字情報が重畳された素材データとのいずれか一方を選択し、選択された素材データを前記モニタ出力ポートから外部へ送出するようにしたので、これまでのように、入力される素材データや、出力する素材データをそのまま表示させることができるとともに、入力される素材データや、出力する素材データ、蓄積された素材データ、装置の動作状態などに関する情報を、特別な装置を用いることなく、外部機器で容易に表示させることができるという利点が得られる。
【図面の簡単な説明】
【図１】本発明の実施形態によるデータ再生記録装置（ビデオサーバ）の構成を示すブロック図である。
【図２】記録・再生回路を時分割動作させるためのタイムスロットについて説明するための概念図である。
【図３】従来のデータ記録再生装置の一構成例を示すブロック図である。
【符号の説明】
３……タイミング生成器、４……圧縮器、５……、６……バッファメモリ、７……、８……バッファメモリ、９……復号器、１０……バッファメモリ、１１……タイミング生成器、２０……ハードディスク・アレイ（記憶媒体）、２１ａ，２１ｂ……記録回路、２２ａ，２２ｂ……再生回路、２３，２７……ＶＩＴＣリーダ（情報取得手段、抽出手段）、２４……制御器、２５，２８……文字情報混合器（重畳手段）、２６……切替器（選択手段）、３０……ファイルシステム、３１……制御器（情報取得手段）、３２……制御パネル、ＩＮ１，ＩＮ２……入力ポート、ＯＵＴ１，ＯＵＴ２……出力ポート、ＯＵＴ１ａ，１ｂ、ＯＵＴ２ａ，２ｂ……モニタ出力ポート
【図１】
0004304799.tif 000002
【図２】
0004304799.tif 000003
【図３】
0004304799.tif 000004